(57)【要約】      （修正有）【課題】反射型光電センサーを用いて、物体の存否を適切に検知することができる水栓装置を提供する。【解決手段】吐水口３１０からの吐水の有無を切り替える弁を備える。反射型光電センサーで構成されて、検知領域５０における物体９０の存否を検知する第一検知部５を備える。第一検知部５を用いて検知領域５０に物体９０が存在することを検知した際に、弁を開いて吐水口３１０から吐水を行う制御部を備える。検知領域５０の位置を変更する検知領域変更部を備える。物体９０の大きさを検知するための第二検知部８を備える。制御部が、第二検知部８によって検知した物体９０の大きさに応じて、検知領域変更部を制御して検知領域５０の位置を変更する。【選択図】図１
2015113604.tif 000002
【特許請求の範囲】
【請求項１】
水を吐出する吐水口と、
前記吐水口からの吐水の有無を切り替える弁と、
反射型光電センサーで構成されて検知領域における物体の存否を検知する第一検知部と、
前記第一検知部を用いて前記検知領域に物体が存在することを検知した際に、前記弁を開いて前記吐水口から吐水を行う制御部とを備え、
さらに、前記検知領域の位置を変更する検知領域変更部と、
物体の大きさを検知するための第二検知部とを備え、
前記制御部が、前記第二検知部によって検知した物体の大きさに応じて、前記検知領域変更部を制御して前記検知領域の位置を変更することを特徴とする水栓装置。
【請求項２】
前記第二検知部が前記吐水口の下側で且つ前記吐水口よりも前側の領域に存在する物体の大きさを検知するものであることを特徴とする請求項１に記載の水栓装置。
【請求項３】
前記第一検知部が限定反射型光電センサーであることを特徴とする請求項１又は請求項２に記載の水栓装置。
【請求項４】
前記制御部が、前記第二検知部で検知した物体の大きさが小さい程、前記第一検知部の前記検知領域が前記吐水口に近づくように前記検知領域変更部を制御することを特徴とする請求項１乃至３のいずれか一項に記載の水栓装置。
【発明の詳細な説明】
【技術分野】
【０００１】
本発明は、物体の存否を検知して、吐水の有無を切り替える水栓装置に関するものである。
【背景技術】
【０００２】
特許文献１には、検出装置が記載されている。この検出装置は、吐水口の下側の検知領域における物体の存否を検知するため、第一センサー、第二センサー、及び第三センサーを備えている。第一センサーは、測距反射型光電センサーである。第二センサー及び第三センサーは、限定反射型光電センサーである。前記物体としては、皿やこの皿を持つ利用者の手等が挙げられる。この検出装置は、第一センサ、第二センサー、及び第三センサーを用いて、検知領域に物体が存在することを検知したときに、カランから水を吐出する。また、検出装置は、第一センサ、第二センサー、及び第三センサーを用いて、検知領域に物体が存在しないことを検知したときには、カランからの吐水を停止する。
【先行技術文献】
【特許文献】
【０００３】
【特許文献１】特開２０１３−１６４９１０号公報
【発明の概要】
【発明が解決しようとする課題】
【０００４】
ところで、水栓から吐出される水を利用して食器等の物体を洗浄する場合、その物体の大きさに応じて利用者が洗浄を行う作業位置が異なる場合がある。例えば、利用者は、大きな皿を洗浄する場合、皿が吐水口等に接触することを避けるため、皿を吐水口からやや離れた位置に配置することがある。また、利用者は、小さなスプーンを洗浄する場合、吐水口から吐出された水をスプーンに当たりやすくするために、スプーンを吐水口に近い位置に配置することがある。
【０００５】
ここで、特許文献１のように物体の存否を検知するために反射型光電センサーを用いた場合、前記のように物体を配置する位置が異なると以下のような事態が生じる恐れがある。すなわち、利用者が物体を反射型光電センサーの検知領域に配置したつもりでも、物体が検知領域から外れて物体が検知されず、水栓から水が吐出されないといった事態が生じる恐れがある。
【０００６】
そこで、本発明は、反射型光電センサーを用いて、物体の存否を適切に検知することができる水栓装置を提供することを課題とする。
【課題を解決するための手段】
【０００７】
本発明の水栓装置は、水を吐出する吐水口と、前記吐水口からの吐水の有無を切り替える弁と、反射型光電センサーで構成されて検知領域における物体の存否を検知する第一検知部と、前記第一検知部を用いて前記検知領域に物体が存在することを検知した際に、前記弁を開いて前記吐水口から吐水を行う制御部とを備え、さらに、前記検知領域の位置を変更する検知領域変更部と、物体の大きさを検知するための第二検知部とを備え、前記制御部が、前記第二検知部によって検知した物体の大きさに応じて、前記検知領域変更部を制御して前記検知領域の位置を変更することを特徴とする。
【０００８】
前記水栓装置において、前記第二検知部が前記吐水口の下側で且つ前記吐水口よりも前側の領域に存在する物体の大きさを検知するものであることが好ましい。
【０００９】
前記水栓装置において、前記第一検知部が限定反射型光電センサーであることが好ましい。
【００１０】
また、前記水栓装置において、前記制御部が、前記第二検知部で検知した物体の大きさが小さい程、前記第一検知部の検知領域が前記吐水口に近づくように前記検知領域変更部を制御することが好ましい。
【発明の効果】
【００１１】
本発明に係る水栓装置にあっては、第一検知部の検知領域の位置を、物体の大きさに応じて、第一検知部によって検知されやすい位置に移動することができ、第一検知部によって物体の存否を適切に検知することが可能になる。
【図面の簡単な説明】
【００１２】
【図１】本発明の実施形態の水栓装置の説明図であり、（ａ）は大きな皿を吐水口の下側に配置した状態を示し、（ｂ）は小さな皿を吐水口の下側に配置した状態を示し、（ｃ）はスプーンを吐水口の下側に配置した状態を示している。
【図２】同上の水栓装置のシステム構成図である。
【発明を実施するための形態】
【００１３】
以下、本発明の実施形態について、図面を参照しながら説明する。図１には本実施形態の水栓装置１が設けられた流し台２が示されている。なお、以下では、水栓装置１を流し台２に設置した状態における方向を基準にして説明する。また、以下では流し台２から見て利用者が立つ側を前方とし、流し台２から見て利用者が立つ側と反対側を後方として説明する。
【００１４】
流し台２の上部２０には、シンク２１が設けられている。シンク２１は、流し台２の上方に向かって開口している。水栓装置１は、流し台２の上方からシンク２１に向けて水を吐出する吐水部３を備えている。
【００１５】
水栓装置１の利用者は、流し台２の手前（前側）に立つ。この利用者は、吐水部３から吐出した水を利用して、シンク２１内で被洗浄物を洗浄することができる。被洗浄物としては、例えば、食器、調理器具、食材等が挙げられる。
【００１６】
図２には本実施形態の水栓装置１のシステム構成図が示されている。水栓装置１は吐水系統を備えている。吐水系統は、吐水部３、水供給路４、及び弁１０を備えている。
【００１７】
水供給路４は流し台２の内部に設けられている。水供給路４の上流側には、給水源１１として、水道管（不図示）及び給湯器（不図示）が接続されている。
【００１８】
水供給路４の下流側の端部は、吐水部３に接続されている。水道管の水と給湯器で生成された湯は混合される。このように混合された水（混合水）は、水供給路４から吐水部３に供給される。
【００１９】
弁１０は、水供給路４に設けられている。弁１０は、例えば開閉可能な電磁弁である。弁１０は、水供給路４を通水可能な状態と通水不能な状態とに切り替える。
【００２０】
弁１０が開くと、給水源１１の水が水供給路４を介して吐水部３に供給される。弁１０が閉じると、水供給路４は遮断され、吐水部３に水が供給されない状態になる。
【００２１】
吐水部３は、水栓装置１の本体を構成している。吐水部３は、図１に示されるようにシンク２１の後方の流し台２の上面部２２に設けられている。なお、吐水部３は、シンク２１の後方の流し台２の上面部２２以外の箇所に設けられてもよい。例えば、吐水部３は、シンク２１の上端部より後方に突出したフランジ部の上等に設けられてもよい。
【００２２】
吐水部３は、流し台２の上面部２２から立ち上がった縦長のベース３０と、ベース３０の上面部３００から立ち上がったスパウト３１を備えている。
【００２３】
ベース３０は、流し台２から上方に突出した吐水部３の基部を構成している。ベース３０は流し台２に対して固定されている。スパウト３１の基端部３１１（根本側の端部）は、ベース３０の上面部３００に対して固定されている。
【００２４】
スパウト３１は、側面視逆Ｕ字状に湾曲した管状に形成されている。すなわち、スパウト３１は、ベース３０から上方に突出した後に前側において下方に折り返されている。スパウト３１は、平面視でベース３０から前方に向かって突出している。スパウト３１の先端部は、ベース３０の前側で且つシンク２１の上側に位置している。スパウト３１の先端部には、下方に開口した吐水口３１０が設けられている。
【００２５】
吐水部３の内部には、吐水口３１０に水を供給するための吐水路（不図示）が形成されている。吐水路は、ベース３０の下端部からスパウト３１の吐水口３１０にまで延びている。
【００２６】
吐水路の上流側の端部は、図２に示される水供給路４の下流側の端部に接続されている。弁１０が開いた状態にあるときには、水供給路４から吐水路に水が供給され、この水が吐水口３１０から下方のシンク２１に向けて吐出される。
【００２７】
水栓装置１は、さらに第一検知部５、検知領域変更部７、制御部６、及び第二検知部８を備えている。第一検知部５は、図１に示されるように、吐水口３１０の下側に存在する検知領域５０において、物体９０が存在しているか否か（物体９０の存否）を検知する。第一検知部５で検知される物体９０は、人体の一部（利用者の手等）、皿やスプーン等の食器、調理器具、食材等である。第一検知部５で検知した物体９０の存否の検知結果は、吐水口３１０からの吐出の有無を切り替えるために用いられる。
【００２８】
第一検知部５は、反射型の光電センサーである。詳しくは、第一検知部５は、限定反射型光電センサーである。なお、第一検知部５は拡散反射型の光電センサーであってもよい。
【００２９】
第一検知部５は、光を発する投光部５１と、光を受ける受光部５２を備えている。投光部５１は、スパウト３１の先端側の部分に設けられている。詳しくは、投光部５１は、スパウト３１の下方に折り返した前部から後方に突出した部分の後面に設けられている。投光部５１は、吐水口３１０の後側で且つ吐水口３１０の近傍に位置している。
【００３０】
投光部５１は、投光素子で構成されている。投光部５１は、照射光として、赤外線を下方に向けて照射する。なお、投光部５１は、赤外線以外の不可視光線を照射するものであってもよい。また、投光部５１は、可視光を照射するものであってもよい。以下、投光部５１から照射される光の照射領域を投光領域５１０と記載する。
【００３１】
投光部５１は、スパウト３１に対して固定されている。このため、投光領域５１０の位置は固定されている。投光領域５１０は、吐水口３１０より前側及び後側に広がっている。
【００３２】
投光部５１の投光領域５１０に物体９０が存在しない状態では、投光部５１から照射された光は、シンク２１の上方部を通過してシンク２１の底面２１０に向かう。
【００３３】
受光部５２は、受光素子で構成されている。受光部５２は、吐水部３のベース３０の前部に設けられている。受光部５２は、投光部５１よりも後側に位置している。受光部５２は、ベース３０の前側から来た光を受けるため、前側に向けた状態で吐水部３に設けられている。
【００３４】
受光部５２は、吐水部３に対して横軸回りに回動可能に設けられており、上下に回動可能である。ここで、横軸回りとは受光部５２の回動軸方向が左右方向（横方向）と平行であることを意味している。以下、受光部５２で受光可能な領域を、受光領域５２０と記載する。
【００３５】
受光部５２を上下に回動することで、受光領域５２０は上下に移動する。なお、受光領域５２０の位置を変更可能にするには、受光部５２をベース３０に対して回動可能に設けてもよいし、受光部５２を保持する保持部材をベース３０に対して回動可能に設けてもよい。また、受光部５２の受光領域５２０を変更可能にする手段は、前記に限定されるものではない。例えばミラーで反射した光を受光部５２で受けるようにし、このミラーを回動可能にすることで受光領域５２０を変更可能にしてもよい。
【００３６】
受光部５２の受光領域５２０は、図１（ａ）に示されるように、受光軸５２１が前側程下方に位置するように傾斜した状態と、図１（ｃ）に示されるように、受光軸５２１が略水平な状態あるいは前側程上方に位置するように傾斜した状態との間の範囲で移動する。ここで、受光軸５２１は、受光部５２で受光可能な光芒の中心軸である。
【００３７】
投光部５１の投光軸５１１と、受光部５２の受光軸５２１は、吐水口３１０の下方で且つシンク２１の底面２１０の上方の位置で交差するように設定されている。ここで、投光軸５１１は、投光部５１から照射された光芒の中心軸である。
【００３８】
第一検知部５の動作領域は、投光部５１の投光領域５１０と、受光部５２の受光領域５２０とが重複する領域である。そして、この動作領域が、第一検知部５を用いて物体９０の存否を検知することができる検知領域５０となる。検知領域５０は、図１（ａ）〜図１（ｃ）に示されるいずれの位置にあるときにも、吐水口３１０から下側に離れ、且つシンク２１の底面２１０から上側に離れる。また、検知領域５０は、図１（ａ）〜図１（ｃ）に示されるいずれの位置にあるときにも、吐水口３１０から吐出される水の吐出領域（以下、吐水領域と記載する）に存在する。
【００３９】
検知領域変更部７は、第一検知部５の検知領域５０の位置を変更する。検知領域変更部７は、モーターで構成される。モーターの駆動軸は、受光部５２に連結される。検知領域変更部７が駆動されると、回転する駆動軸に連結された受光部５２が横軸回りに回動する。これにより、受光部５２の受光領域５２０は、図１（ａ）〜図１（ｃ）に示されるように上下動する。このように受光領域５２０が移動すると、受光領域５２０と固定された投光領域５１０との重なる領域である検知領域５０（動作領域）は上下に移動する。なお、検知領域変更部７の駆動軸は、受光部５２に直接連結されてもよいし、受光部５２に他の部材を介して連結されてもよい。また、検知領域変更部７は、前述したミラーを駆動するモーターであってもよい。
【００４０】
図１（ａ）〜図１（ｃ）に示されるように、検知領域５０に物体９０が存在する状態では、投光部５１から照射された光は、検知領域５０に存在する物体９０によって反射する。このように物体９０で反射した光は、受光部５２側に進行する。このため、投光部５１から照射された光は、受光部５２に到達し易くなる。
【００４１】
一方、検知領域５０に物体９０が存在しない状態では、投光部５１から照射された光は、検知領域５０を通過してシンク２１の底部に向かう。このため、投光部５１から照射された光は、受光部５２に到達し難くなる。すなわち、受光部５２の受光量は、検知領域５０における物体９０の存否に応じて変化する。従って、受光部５２の受光量の変化を検出することで、検知領域５０における物体９０の存否を検知することが可能になる。
【００４２】
制御部６は、常時または間欠的に、投光部５１から検知領域５０に向けて光を照射し、同時に受光部５２の出力（例えば検知電圧）を監視する。そして、制御部６は、受光部５２の出力に基づき、検知領域５０における物体９０の存否を判定する。
【００４３】
制御部６は、検知領域５０における物体９０の存否の判定結果に基づいて、吐水部３からの吐水の有無（吐水口３１０から水を吐出するか否か）を切り替える。吐水部３の吐水の有無の切り替えは、制御部６が図２に示される弁１０を駆動して弁１０の開閉を切り替えることにより行われる。
【００４４】
具体的に制御部６は、検知領域５０に物体９０が存在することを検知した場合、弁１０を開いて吐水口３１０からシンク２１に水を吐出する。利用者は、このように吐水口３１０から吐出された水を、吐水口３１０の下方に差し入れた手や皿等の物体９０に当てることで、物体９０を洗浄することができる。また、制御部６は、検知領域５０に物体９０が存在しないと判定した場合、弁１０を閉じて吐水口３１０からの吐水を停止する。
【００４５】
第二検知部８は、複数の撮像装置を用いて、吐水部３の前側に存在する物体９０の三次元的な大きさを検知する。具体的に第二検知部８は、撮像装置として、第一カメラ８０と第二カメラ８１を備えている。
【００４６】
第一カメラ８０及び第二カメラ８１は、夫々ビデオカメラである。第一カメラ８０及び第二カメラ８１の夫々の撮像素子には、例えばＣＣＤ（Ｃｈａｒｇｅ  Ｃｏｕｐｌｅｄ  Ｄｅｖｉｃｅ）イメージセンサーが用いられる。第一カメラ８０及び第二カメラ８１の夫々の撮像素子は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）や、ＭＯＳ（Ｍｅｔａｌ  Ｏｘｉｄｅ  Ｓｅｍｉｃｏｎｄｕｃｔｏｒ）であってもよい。また、第一カメラ８０及び第二カメラ８１は、可視光の画像を撮影するカメラの他、赤外線（例えば近赤外線）に感度を持つ撮像素子を備えた赤外線カメラであってもよい。
【００４７】
第一カメラ８０は、例えばスパウト３１の上端部の下側に設けられており、流し台２に対して固定されている。第一カメラ８０は前斜め下方に向けられている。第一カメラ８０は、その撮影領域が吐水口３１０の下側且つベース３０の前側に設定されており、この撮影領域を連続的に撮影する。
【００４８】
第二カメラ８１は、例えば流し台２の上面部２２においてシンク２１の側方に位置する箇所に設けられており、流し台２に対して固定されている。第二カメラ８１は、シンク２１の上方部に臨む側方に向けられている。第二カメラ８１は、その撮影領域が、第一カメラ８０と同様、吐水口３１０の下側且つベース３０の前側に設定されており、この撮影領域を連続的に撮影する。第一カメラ８０の撮影領域と第二カメラ８１の撮影領域は重複する。
【００４９】
第二カメラ８１は第一カメラ８０で撮影される領域を第一カメラ８０とは異なる向きで撮影する。このように両カメラ８０、８１で共通の領域を異なる向きで撮影することで、第一カメラ８０で撮影した画像データと第二カメラ８１で撮影した画像データの比較から視差情報を所得することができる。従って、第一カメラ８０で撮影した画像データ、第二カメラ８１で撮影した画像データ、及び視差情報に基づいて、両カメラ８０、８１で撮影した物体９０の大きさを判定することが可能になる。
【００５０】
ここで、両カメラ８０、８１で撮影される領域は、吐水口３１０よりも前側の領域を含むことが好ましい。利用者が吐水口３１０から吐出された水で物体９０を洗浄しようとするときに、両カメラ８０、８１での物体９０の検知を早い段階で行えるからである。なお、両カメラ８０、８１で撮影される領域は、吐水領域の存在する領域（吐水口３１０の真下の領域）を含むものであってもよいし、吐水領域の存在する領域を含まないものであってもよい。
【００５１】
制御部６は、常時又間欠的に、第一カメラ８０で撮影した画像データ及び第二カメラ８１で撮影した画像データを監視する。制御部６は、両カメラ８０、８１で撮影された領域に物体９０が存在することを検知したとき、両カメラ８０、８１の画像データに基づいてこの物体９０の大きさを判定する。そして、制御部６は、このようにして検知した物体９０の大きさに応じて、以下のように検知領域変更部７を駆動し、第一検知部５の検知領域５０を変更する。
【００５２】
制御部６は、第二検知部８で検知した物体９０の大きさが小さくなる程、受光部５２の受光領域５２０が上方に位置するように検知領域変更部７を制御する。これにより、第一検知部５の検知領域５０は、検知した物体９０が小さくなる程、図１（ａ）〜図１（ｃ）に示されるように、上方に移動して吐水口３１０に近づくようになる。なお、この制御部６による検知領域変更部７の制御においては、検知領域５０の位置を段階的に変更してもよいし、無段階で連続的に変更してもよい。
【００５３】
吐水口３１０の下側に小さい皿等の物体９０が差し出された場合、第一検知部５の検知領域５０は、図１（ｂ）に示される位置に移動する。小さい皿等の物体９０を洗浄する場合、物体９０は、吐水口３１０から適度に離れた図１（ｂ）に示される位置に配置されやすい。小さい皿等の物体９０は、吐水口３１０に接触し難く且つ吐水口３１０から吐出された水に当たりやすい位置に配置するのがよいためである。従って、第一検知部５の検知領域５０が図１（ｂ）に示される位置に移動すると、第一検知部５によって小さい皿等の物体９０を検知しやすくなる。
【００５４】
吐水口３１０の下側に大きい皿等の比較的大きな物体９０が差し出された場合、第一検知部５の検知領域５０は、図１（ｂ）に示される位置よりも下側となる図１（ａ）に示される位置に移動して吐水口３１０から離れる。大きい皿等の物体９０を洗浄する場合、物体９０は、吐水口３１０から離れた図１（ａ）に示される位置に配置されやすい。大きい皿等の物体９０は、吐水口３１０から吐出された水を当てやすく、吐水口３１０により接触し難い位置に配置されるのがよいためである。従って、第一検知部５の検知領域５０が図１（ａ）に示される位置に移動すると、第一検知部５によって大きい皿等の大きな物体９０を検知しやすくなる。
【００５５】
また、吐水口３１０の下側にスプーン等の比較的小さな物体９０が差し出された場合、第一検知部５の検知領域５０は、図１（ｂ）に示される位置よりも上側となる図１（ｃ）に示される位置に移動して吐水口３１０に近づく。スプーン等の物体９０は、吐水口３１０から吐出された水を当てることが難しく、吐水口３１０に近い位置に配置されやすい。従って、第一検知部５の検知領域５０が図１（ｃ）に示される位置に移動すると、第一検知部５によってスプーン等の小さな物体９０を検知しやすくなる。
【００５６】
以上説明した本実施形態の水栓装置１は、水を吐出する吐水口３１０と、吐水口３１０からの吐水の有無を切り替える弁１０と、反射型光電センサーで構成されて検知領域５０における物体９０の存否を検知する第一検知部５とを備えている。水栓装置１は、さらに、第一検知部５を用いて検知領域５０に物体９０が存在することを検知した際に、弁１０を開いて吐水口３１０から吐水を行う制御部６を備えている。水栓装置１は、さらに、第一検知部５の検知領域５０の位置を変更する検知領域変更部７と、物体９０の大きさを検知するための第二検知部８とを備えている。そして、制御部６が、第二検知部８によって検知した物体９０の大きさに応じて、検知領域変更部７を制御して第一検知部５の検知領域５０の位置を変更する。
【００５７】
この水栓装置１は、第一検知部５によって検知領域５０に物体９０が存在することを検知したとき、制御部６が弁１０を制御して吐水口３１０から吐水を行う。このため、利用者は、第一検知部５の検知領域５０に物体９０を移動するだけで、吐水口３１０から水を簡単に吐出することができる。また、制御部６は、第二検知部８によって検知した物体９０の大きさに応じて、検知領域変更部７を制御して第一検知部５の検知領域５０の位置を変更する。このため、第一検知部５の検知領域５０の位置を、物体９０の大きさに応じて、第一検知部５によって検知されやすい位置に移動することができる。従って、第一検知部５を用いて物体９０を検知しやすくなり、物体９０の存否をより適切に検知することが可能になる。
【００５８】
また、本実施形態のように、第一検知部５が限定反射型光電センサーであることが好ましい。限定反射型光電センサーは、強い受光出力を得るために投受光の指向角度が小さい。このため、第一検知部５を限定反射型光電センサーとすることで、物体９０の存否を精度よく検知することができる。
【００５９】
また、第二検知部８は、本実施形態のように、吐水口３１０の下側で且つ吐水口３１０よりも前側の領域に存在する物体９０の大きさを検知するものであることが好ましい。このようにすることで、吐水口３１０の下側に差し出される物体９０の大きさを早い段階で検知し、これに応じて第一検知部５の検知領域５０を物体９０を検知しやすい位置に変更することができる。
【００６０】
また、限定反射型光電センサーは、投光軸と受光軸が比較的大きな角度で交差する。このため、限定反射型光電センサーの動作領域は、投光光芒（投光部から出射される光芒）と受光光芒（受光部で受光される光芒）が交差する領域（限定領域）に限定される。従って、第一検知部５として限定反射型光電センサーを用いた場合、物体９０が検知領域５０から外れた位置に配置されやすくなる。しかし、本実施形態では、前述したように第一検知部５の検知領域５０の位置を、物体９０の大きさに応じて、第一検知部５によって検知されやすい位置に移動することができるため、限定反射型光電センサーを用いて物体９０を適切に検知することができる。
【００６１】
また、水栓装置１の利用者は、吐水口３１０から吐出される水で物体９０を洗浄する場合、物体９０が小さくなる程、物体９０を吐水口３１０に近づけて配置しやすい。このため、制御部６は、本実施形態のように、第二検知部８で検知した物体９０の大きさが小さい程、第一検知部５の検知領域５０が吐水口３１０に近づくように検知領域変更部７を制御することが好ましい。こうすると、大きさの異なる様々な物体９０の存否を第一検知部５によって適切に検知することが可能になる。
【００６２】
なお、本実施形態の水栓装置１は、物体９０の存否を検知するためのセンサーとして、第一検知部５のみを備えたものである。しかし、水栓装置１に、第一検知部５に加えて、一乃至複数の他のセンサーを設け、第一検知部５の検知結果と他のセンサーの検知結果とに基づいて、吐水口３１０からの吐水の有無を切り替えても構わない。
【００６３】
また、検知領域変更部７によって第一検知部５の検知領域５０を移動する方向は、本実施形態のものに限られるものではない。例えば、本実施形態では、物体９０が大きくなると、物体９０が吐水部３のベース３０に当たりやすくなるため、物体９０が小さくなる程、第一検知部５の検知領域５０が後側に位置するようにしてもよい。また、物体９０が小さくなる程、第一検知部５の検知領域５０が後斜め上方に移動するようにしてもよい。
【００６４】
また、本実施形態では検知領域変更部７を受光部５２の向きを変更するものである。しかし、検知領域変更部７は、投光部５１の向きを変更するものや、投光部５１及び受光部５２の向きを変更するものであってもよい。
【００６５】
また、第二検知部８を構成する第一カメラ８０と第二カメラ８１の設置位置は本実施形態のものに限られず、両カメラ８０、８１は、物体９０を異なる方向から撮影可能な位置に設置されればよい。また、第二検知部８は、ＴＯＦ（ｔｉｍｅ  ｏｆ  ｆｌｉｇｈｔ）型等の距離画像センサを用いることにより、一つの撮像装置で構成していてもよい。
【００６６】
また、本発明は、例えば洗面台等、流し台２以外のものに設置される水栓装置に適用してもよい。また、この他、水栓装置１は発明の趣旨を逸脱しない範囲内で適宜設計変更可能である。
【符号の説明】
【００６７】
１  水栓装置
１０  弁
３１０  吐水口
５  第一検知部
５０  検知領域
６  制御部
７  検知領域変更部
８  第二検知部
９０  物体
【図１】
2015113604.tif 000003
【図２】
2015113604.tif 000004